(57)【要約】【課題】シュレッダーの屑受箱の容量を増加できる攪拌装置の提供。【解決手段】屑受箱の下方の底部近くに屑に対して上下に攪拌できる攪拌装置を設け、この装置はアクチュエータと連動部品で構成し、そのうちアクチュエータは屑受箱に枢軸で連接され、並びにその枢接位置を支点とし、連動部品がアクチュエータに固定され並びにアクチュエータに伴い同期運動するものとされ、アクチュエータに施力して連動部品を駆動し枢軸を支点として往復運動させる時、連動部品が屑に対して攪拌し平らにならす作用を発生し、これにより屑間隙を減らして屑受箱の容量を増す。【選択図】図２
0003136978.tif 000002
【実用新案登録請求の範囲】
【請求項１】
シュレッダーの屑受箱用攪拌装置において、この攪拌装置は屑受箱の適宜位置に紙屑に対して攪拌し平らにならす機能を発生する攪拌装置であり、該攪拌装置は、該屑受箱の適宜位置に枢接されてその枢接点を運動の支点とするアクチュエータと、該アクチュエータと結合されて該アクチュエータに伴い同期に枢軸を支点として運動する連動部品とを包含したことを特徴とする、シュレッダーの屑受箱用攪拌装置。
【請求項２】
請求項１記載のシュレッダーの屑受箱用攪拌装置において、該アクチュエータがペダルとされたことを特徴とする、シュレッダーの屑受箱用攪拌装置。
【請求項３】
請求項１記載のシュレッダーの屑受箱用攪拌装置において、該連動部品が攪拌ロッドとされたことを特徴とする、シュレッダーの屑受箱用攪拌装置。
【請求項４】
請求項１記載のシュレッダーの屑受箱用攪拌装置において、該連動部品が該アクチュエータに伴い、同期に枢軸を支点として上下往復運動を発生することを特徴とする、シュレッダーの屑受箱用攪拌装置。
【請求項５】
請求項１記載のシュレッダーの屑受箱用攪拌装置において、該連動部品が連接棒機構とされたことを特徴とする、シュレッダーの屑受箱用攪拌装置。
【請求項６】
請求項５記載のシュレッダーの屑受箱用攪拌装置において、該連接棒機構は第１連接棒と第２連接棒で構成されたことを特徴とする、シュレッダーの屑受箱用攪拌装置。
【請求項７】
請求項６記載のシュレッダーの屑受箱用攪拌装置において、該第１連接棒の固定端はアクチュエータと結合され、自由端は枢軸で第２連接棒の行程位置制限溝に結合され、該第２連接棒の固定端は枢軸で屑受箱内部底端に枢接され、自由端はさらに攪拌ロッドと結合されたことを特徴とする、シュレッダーの屑受箱用攪拌装置。
【考案の詳細な説明】
【技術分野】
【０００１】
本考案はシュレッダーに使用される屑受箱に係り、特に、屑受箱容量を増すことができる攪拌装置であって、該攪拌装置の往復運動により屑間隙を減らして屑受箱容量を増すことができる、シュレッダーの屑受箱用攪拌装置に関する。
【背景技術】
【０００２】
周知のとおり、紙を破砕するシュレッダーの作動原理は、複数のカッタブレード（ｃｕｔｔｉｎｇ  ｂｌａｄｅｓ）にスペーサ（ｓｐａｃｅｒｓ）が組み合わされて回転軸（ｒｏｔａｒｙ  ｓｈａｆｔ）に嵌合され、モータと歯車装置（ｍｏｔｏｒ  ａｎｄ  ｇｅａｒ  ｂｏｘ）を利用し、紙に２本が平行で且つ相対回転する該回転軸を通過させてカッタブレードにより紙を切断しストライプ状となす、というものである。
【０００３】
シュレッダーはその機械切断モードの違いにより、ストライプ式シュレッダー（ｓｔｒｉｐｅ−ｃｕｔ  ｓｈｒｅｄｄｅｒｓ）とクロスカット式シュレッダー（ｃｒｏｓｓ−ｃｕｔ  ｓｈｒｅｄｄｅｒｓ）の二種類に分けられ、前者はカッタブレードが回転ブレードホイールに規格配列され、紙を縦方向に切断しストライプ状となし、後者はカッタブレードに一つ以上のフック状の刃が設けられ、且つカッタブレードが回転ブレードホイール上で螺旋状に配列され、紙が縦向きに切断されてストライプ状とされるだけでなく、さらに横向きに裁断されて粉砕状の屑とされる。
【０００４】
上述のストライプ式シュレッダー或いはクロスカット式シュレッダーのいずれも、一般に販売時には屑を入れるための屑受箱（ｂａｓｋｅｔ  ｏｒ  ｂｉｎ）が組み合わされている。上述したように、シュレッダーのカッタブレードはモータ及び歯車装置で二本の平行で且つ相対回転する回転軸が駆動され、通過する紙に対して切断しストライプ状とするか破砕状となし、その後さらにシュレッダー底部の落紙口より屑受箱内に落とす。軽い紙屑は不規則な方式で堆積し、相互間の間隙が大きく、屑受箱は満紙状態になりやすい。このほか数量の増加により、紙屑が容易に落紙口の下方に堆積して山形となりやすく、高さが落紙口付近に到達すると、後続の紙屑の順調な落下を妨げ、さらには紙屑がカッタブレードに巻き込まれて紙詰まり（ｊａｍ）を形成し、シュレッダーの正常な運転の機能に影響を与える。
【０００５】
使用者は堆積した紙屑をかき回してそれを平らにならして、屑受箱の紙屑を収容できる空間を大きくして屑受箱の容量を増すことができる。これにより屑受箱の掃除の頻度を減らすことができる。特に、上述の紙の山が後続の紙屑の落下を妨害してさらには紙詰まりの故障状況を形成するのを防止できる。
【考案の開示】
【考案が解決しようとする課題】
【０００６】
本考案の主要な目的は、使用者が簡単なペダル動作を行なうことで攪拌装置に紙屑に対して攪拌と平らにならす動作を行なわせることができるようにし、これにより紙屑間隙を減らして屑受箱の容量を増す効果を達成できるようにすることにある。
【０００７】
本考案のもう一つの目的は、使用者が簡単なペダル動作により、攪拌装置に紙屑に対して攪拌と平らにならす動作を行なわせることができるようにし、これにより山形に堆積した紙屑を周囲に散らして平らとし、後続の落下する紙屑が巻き戻されてカッタブレードの隙間の紙詰まりを形成するのを防止できるようにすることにある。
【課題を解決するための手段】
【０００８】
請求項１の考案は、シュレッダーの屑受箱用攪拌装置において、この攪拌装置は屑受箱の適宜位置に紙屑に対して攪拌し平らにならす機能を発生する攪拌装置であり、該攪拌装置は、該屑受箱の適宜位置に枢接されてその枢接点を運動の支点とするアクチュエータと、該アクチュエータと結合されて該アクチュエータに伴い同期に枢軸を支点として運動する連動部品とを包含したことを特徴とする、シュレッダーの屑受箱用攪拌装置としている。
請求項２の考案は、請求項１記載のシュレッダーの屑受箱用攪拌装置において、該アクチュエータがペダルとされたことを特徴とする、シュレッダーの屑受箱用攪拌装置としている。
請求項３の考案は、請求項１記載のシュレッダーの屑受箱用攪拌装置において、該連動部品が攪拌ロッドとされたことを特徴とする、シュレッダーの屑受箱用攪拌装置としている。
請求項４の考案は、請求項１記載のシュレッダーの屑受箱用攪拌装置において、該連動部品が該アクチュエータに伴い、同期に枢軸を支点として上下往復運動を発生することを特徴とする、シュレッダーの屑受箱用攪拌装置としている。
請求項５の考案は、請求項１記載のシュレッダーの屑受箱用攪拌装置において、該連動部品が連接棒機構とされたことを特徴とする、シュレッダーの屑受箱用攪拌装置としている。
請求項６の考案は、請求項５記載のシュレッダーの屑受箱用攪拌装置において、該連接棒機構は第１連接棒と第２連接棒で構成されたことを特徴とする、シュレッダーの屑受箱用攪拌装置としている。
請求項７の考案は、請求項６記載のシュレッダーの屑受箱用攪拌装置において、該第１連接棒の固定端はアクチュエータと結合され、自由端は枢軸で第２連接棒の行程位置制限溝に結合され、該第２連接棒の固定端は枢軸で屑受箱内部底端に枢接され、自由端はさらに攪拌ロッドと結合されたことを特徴とする、シュレッダーの屑受箱用攪拌装置としている。
【考案の効果】
【０００９】
本考案はシュレッダーの屑受箱の容量を増加できる攪拌装置を提供し、それは屑受箱の下方の底部に隣接する位置に紙屑に対して上下に攪拌できる攪拌装置を設け、この攪拌装置は、アクチュエータと連動部品で構成される。そのうち、アクチュエータは屑受箱に枢軸で接続され、並びに枢接位置を支点とし、連動部品はアクチュエータに固定され並びにアクチュエータと同期に運動する。該アクチュエータに施力し、連動部品を駆動して枢軸を支点として往復運動させる時、連動部品は紙屑に対して攪拌し平らにならす作用を発生し、これにより紙屑間隙を減らして屑受箱の容量を増す。
【考案を実施するための最良の形態】
【００１０】
図１は本考案の第１実施例の構造図であり、図２は本考案の第１実施例の断面図である。屑受箱の下方の底部に近い位置に、紙屑に対して上下の攪拌を行なう攪拌装置が設けられ、該攪拌装置はアクチュエータと連動部品で構成される。
【００１１】
本実施例では、該アクチュエータはペダル１とされ、該連動部品は該ペダル１に固定された攪拌ロッド２とされる。そのうち、ペダル１と屑受箱３は第１枢軸４で連接され、その枢接部分に支点が形成される。
【００１２】
具体的な実施時には、足でアクチュエータを踏んで連動部品に枢軸を支点として上下往復運動を発生させる。言い換えると、ペダル１に施力して直接攪拌ロッド２を上下に往復動作させ、紙屑を続けて攪拌して平らにならして紙屑間隙を減らし、屑受箱の容量を増加する。
【００１３】
図３は本考案の第２実施例の構造図であり、図４は本考案の第２実施例の断面図である。屑受箱の下方の底部近くに紙屑に対して上下攪拌を行なえる攪拌装置が設けられ、この装置はアクチュエータと連動部品で構成されている。
【００１４】
本実施例では、該アクチュエータはペダル１とされ、該連動部品は連接棒機構とされる。そのうち、ペダル１と屑受箱３は第１枢軸４で連接され、その枢接部分に第１支点が形成される。第１連接棒２１の固定端がペダル１と結合され一体とされ、自由端は第２枢軸４１で第２連接棒２２の行程位置制限溝２２１と結合され、その枢接部分に第２支点が形成されている。第２連接棒２２の固定端が第３枢軸４２で屑受箱内部の底端３１と結合され、この連接部分に第３支点が形成され、第２連接棒の自由端はさらに攪拌ロッド２と結合され一体とされている。
【００１５】
具体的な実施時には、足で上下にアクチュエータを踏み、連動部品を駆動して枢軸を支点として上限の往復運動を発生させる。すなわち、ペダル１に施力して第１連接棒２１を駆動して第１枢軸４を支点として上向きに起こし、第２連接棒２２に第２枢軸４１及び第３枢軸４２を支点として、第１連接棒２１の上向きの跳ね起きに伴い上向きに動作させ、攪拌ロッド２を上向きに駆動する過程中に紙屑に対して攪拌作用を発生させる。上述の動作を重複する過程で、紙屑に対して攪拌し、平らにならす作用を発生し、これにより紙屑間隙を減らして屑受箱の容量を増す。
【図面の簡単な説明】
【００１６】
【図１】本考案の第１実施例の構造図である。
【図２】本考案の第１実施例の断面図である。
【図３】本考案の第２実施例の構造図である。
【図４】本考案の第２実施例の断面図である。
【符号の説明】
【００１７】
１  ペダル
２  攪拌ロッド
２１  第１連接棒
２２  第２連接棒
２２１  行程位置制限溝
３  屑受箱
３１  底端
４  第１枢軸
４１  第２枢軸
４２  第３枢軸
【図１】
0003136978.tif 000003
【図２】
0003136978.tif 000004
【図３】
0003136978.tif 000005
【図４】
0003136978.tif 000006